(57)【特許請求の範囲】
【請求項１】
帯状部材を複数重ねて構成され、長さ方向において間隔をあけて接合部により接合することにより複数の貫通部が形成された長尺部と、
この長尺部の一端側に形成された１周の長さが０．８ｍから１．６ｍの第１環状部と、
前記長尺部の他端側に形成された１周の長さが０．４ｍから１．２ｍの第２環状部および第３環状部と
を備えたことを特徴とする非常用具。
【請求項２】
前記貫通部の幅は、８ｃｍ以上１５ｃｍ以下であることを特徴とする請求項１記載の非常用具。
【請求項３】
前記長尺部、第１環状部、第２環状部、および第３環状部は、１本の帯状部材から形成されたことを特徴とする請求項１または請求項２記載の非常用具。
【請求項４】
前記第２環状部は、帯状部材の一端部を環状にすることにより形成され、
前記第３環状部は、同一の帯状部材の他端部を環状にすることにより形成され、
前記長尺部は、同一の帯状部材の前記第２環状部から延長されている部分と、同一の帯状部材の前記第３環状部から延長されている部分とを重ね合わせることにより形成され、
前記第１環状部は、同一の帯状部材の前記第２環状部に連続する前記長尺部から、前記第３環状部に連続する前記長尺部まで延長されている部分により形成された
ことを特徴とする請求項１から請求項３のいずれか１に記載の非常用具。
【発明の詳細な説明】
【技術分野】
【０００１】
本発明は、救助などの非常時に用いる非常用具に関する。
【背景技術】
【０００２】
救助の際に、人を吊り上げたり、吊り下げたりするのにロープが用いられている。その際、早く、安全に救助できることが重要である。これまでも各種の用具が提案されているが、より簡単に用いることができる用具が開発されれば、より早く救助することができるので好ましい。
【先行技術文献】
【特許文献】
【０００３】
【特許文献１】特願２００５−３４２３０８号公報
【発明の概要】
【発明が解決しようとする課題】
【０００４】
本発明は、このような問題に基づきなされたものであり、簡単かつ安全に各種救助などに広く用いることができる非常用具を提供することを目的とする。
【０００５】
なお、特許文献１には、連結環により身体上部を緊縛する上部ベルトと、身体下部を緊縛する下部ベルトとを連結した安全帯が記載されているが、本発明とは具体的な構成が異なっている。
【課題を解決するための手段】
【０００６】
本発明の非常用具は、帯状部材を複数重ねて構成され、長さ方向において間隔をあけて接合部により接合することにより複数の貫通部が形成された長尺部と、この長尺部の一端側に形成された１周の長さが０．８ｍから１．６ｍの第１環状部と、長尺部の他端側に形成された１周の長さが０．４ｍから１．２ｍの第２環状部および第３環状部とを備えたものである。
【発明の効果】
【０００７】
本発明の非常用具によれば、複数の貫通部を設けた長尺部の一端側に第１環状部を設け、他端側に第２環状部および第３環状部を設けるようにしたので、例えば、第２環状部および第３環状部に脚を通し、第１環状部を貫通部に通して、長尺部を胸や腰で巻いたり、第２環状部および第３環状部を膝裏に通し、第１環状部を脇の下から背中に通すことにより、簡単に人を吊り下げたり吊り上げたりすることができる。また、第２環状部および第３環状部に腕を通し、長尺部を背中から手前に回すことにより、容易に人や物を引いたり持ち上げたりすることができる。更に、長尺部を肩に掛け、第１環状部、第２環状部および第３環状部にものを通すことにより、容易にものを運ぶこともできる。加えて、第２環状部および第３環状部に脚を通し、長尺部を背部から回し持ち上げると共に、脇の下で第１環状部を胸の方から後頭部へ回して身体に密着させることにより、狭隘空間から容易に人を引きずり出すことができる。更にまた、必要に応じて２つの貫通部をカナビラなどで止めたり、２本を第１環状部で結合するなどすれば、長さを任意に調節することもできる。加えてまた、巻いて丸めれば、ポケットに入れて容易に持ち運ぶこともできる。よって、各種救助や消防、防災などの非常時に、簡単かつ安全に用いることができる。
【図面の簡単な説明】
【０００８】
【図１】本発明の一実施の形態に係る非常用具の構成を表す図である。
【図２】図１に示した非常用具の一部を拡大して表す図である。
【図３】図１に示した非常用具の構成を分解して表す図である。
【図４】図１に示した非常用具により人を吊り上げたり吊り下げたりする場合を表す図である。
【図５】図１に示した非常用具により人を吊り上げたり吊り下げたりする場合を表す他の図である。
【図６】図１に示した非常用具により人を吊り上げたり吊り下げたりする場合を表す更に他の図である。
【図７】図１に示した非常用具により人や物を引いたり持ち上げたりする場合を表す図である。
【図８】図１に示した非常用具を２本接合して用いる場合を表す図である。
【図９】図１に示した非常用具によりものを運ぶ場合を表す図である。
【図１０】図１に示した非常用具により狭隘空間において人を救出する場合を表す図である。
【発明を実施するための形態】
【０００９】
以下、本発明の実施の形態について図面を参照して詳細に説明する。
【００１０】
図１は、本発明の一実施の形態に係る非常用具の構成を表すものであり、図２は一部の断面構成を拡大して表すものであり、図３は分解して概念的に表すものある。この非常用具１０は、例えば、帯状部材により構成されており、長尺部１１と、この長尺部１１の一端側に形成された第１環状部１２と、長尺部１１の他端側に形成された第２環状部１３および第３環状部１４とを有している。帯状部材としては、例えば、ナイロンなどの合成繊維製帯ロープ（ベルト）が好ましい。
【００１１】
長尺部１１は、帯状部材を複数重ねて構成され、長さ方向において間隔をあけて接合部１１Ａにより接合することにより複数の貫通部１１Ｂが形成されている。なお、図２では、貫通部１１Ｂを分かりやすくするために湾曲させて描いている。長尺部１１の長さは、例えば、２．６ｍから０．８ｍ程度が好ましく、２．１ｍから１．１ｍ程度であればより好ましい。接合部１１Ａは、例えば、被覆部材１１Ｃで覆い、接着剤で接着し、更に、縫い合わせることにより接合することが好ましい。
【００１２】
貫通部１１Ｂの幅Ｗは、８ｃｍ以上１５ｃｍ以下であることが好ましい。幅Ｗが短いと、カナビラなどで止めたり、第１環状部１２を通すことが難しくなり、幅Ｗが長いと、長さを細かく調節することができないからである。特に、第２環状部１３および第３環状部１４の側近傍における貫通部１１Ｂの幅Ｗは、短くすることが好ましく、例えば、８ｃｍ以上１１ｃｍ以下の範囲内とすることが好ましい。身体に巻き付けてカナビラなどで止める際に、身体の大きさに合わせて細かく調節することができるからである。なお、貫通部１１Ｂの幅というのは、長尺部１１の長さ方向において隣接する接合部１１Ａの間の距離のことである。
【００１３】
第１環状部１２の長さ（１周の長さ）は、例えば、０．８ｍから１．６ｍ程度が好ましく、１．０ｍから１．４ｍ程度であればより好ましい。第１環状部１２の長尺部１１と反対側には、例えば、ゴムなどよりなる補強部材１２Ａが取り付けられていることが好ましい。吊るしたり、ものをかけたりする際の強度を補強すると共に、カナビラをかけやすくなる、第１環状部１２を貫通部１１Ｂに通しやすくなる、端部のどちら側が第１環状部１２であるかが分かりやすくなるなどの効果が得られるからである。
【００１４】
第２環状部１３および第３環状部１４は、長尺部１１の他端側に並列に設けられている。第２環状部１３および第３環状部１４の長さ（１周の長さ）は、０．４ｍから１．２ｍ程度が好ましく、０．６ｍから１・０ｍ程度であればより好ましい。
【００１５】
また、長尺部１１、第１環状部１２、第２環状部１３、および第３環状部１４は、１本の帯状部材から形成されていることが好ましい。例えば、図３に示したように、帯状部材の一端部を環状にすることにより第２環状部１３を形成し、同一の帯状部材の他端部を環状にすることにより第３環状部１４を形成し、同一の帯状部材の第２環状部１３から延長されている部分と、第３環状部１４から延長されている部分とを重ね合わせることにより長尺部１１を形成し、同一の帯状部材の第２環状部１３に連続する長尺部１１から、第３環状部１４に連続する長尺部１１まで延長されている部分により第１環状部１２を形成するようにすることが好ましい。強度を高くすることができるからである。
【００１６】
なお、長尺部１１の接合部１１Ａの被覆部材１１Ｃや、第１環状部１２の補強部材１２Ａには、他の部材が用いられていてもよい。すなわち、１本の帯状部材から形成されているというのは、１本の帯状部材のみから構成されているという意味ではなく、１本の帯状部材により長尺部１１、第１環状部１２、第２環状部、および第３環状部１４が連続して形作られているという意味である。
【００１７】
図４から図６は、非常用具１０の用い方を表すものであり、人Ｍを吊り上げたり、吊り下げたりする場合を示している。例えば、図４に示したように、第２環状部１３および第３環状部１４に脚Ｍ１を通し、長尺部１１を腹から胸に持ち上げ、脇の下Ｍ２で胸に巻き、第１環状部１２の先端から任意の貫通部１１Ｂに通して身体に密着させ、必要に応じて長尺部１１の交差部分をカナビラで固定する。これにより、身体を立てた状態で、人Ｍを吊り上げたり、吊り下げたりすることができる。その際、第１環状部１２を昇降器具などに固定してもよく、また、人が非常用具１０を直接支持してもよい。
【００１８】
また、図５に示したように、長尺部材１１を腹側にして第２環状部１３および第３環状部１４に脚Ｍ１を通し、長尺部１１を腰に巻き、第１環状部１２の先端から任意の貫通部１１Ｂに１回若しくは２回通して身体に密着させ、長尺部１１の交差部分をカナビラ２１で固定する。この場合、カナビラ２１にエイト環などの昇降器具２２を装着することにより、臀部および腰部を安定して支え、ロープ２３を伝って人Ｍが降下することができる。
【００１９】
更に、図６に示したように、第２環状部１３および第３環状部１４を膝裏Ｍ３に通し、第１環状部１２を脇の下Ｍ２から背中に通して、長尺部１１を手前で吊ることにより、人Ｍを横にして吊り上げたり、吊り下げたりすることができる。その際、図６（Ａ）に示したように、長尺部１１は伸ばした状態でもよいが、図６（Ｂ）に示したように、必要に応じて貫通部１１Ｂを利用して長尺部１１を束ねて長さを調節するようにしてもよい。
【００２０】
図７は、非常用具１０の他の用い方を表すものであり、人や物を引いたり持ち上げたりする場合を示している。例えば、図７に示したように、長尺部１１を背中側にして、第２環状部１３および第３環状部１４に腕Ｍ４を通し、長尺部１１を背中から手前に回し、第１環状部１２の側に人や物を固定することにより、容易に人や物を引いたり持ち上げたりすることができる。その際、例えば、２本の非常用具１０を第１環状部１２で結合すれば長さを伸ばすこともできる。２本の非常用具１０は、例えば、図８に示したように、一方の第１環状部１２の環の中に他方の第１環状部１２の先端を挿入し、一方の第１環状部１２を巻くようにして、他方の第１環状部１２の環の中に、他方の第２環状部１３および第３環状部１４の先端から挿入して引くことにより、容易にかつ強固に結合することができる。
【００２１】
図９は、非常用具１０の更に他の用い方を表すものであり、ものを運ぶ場合を示している。例えば、図９に示したように、長尺部１１を肩に掛け、第１環状部１２、第２環状部１３および第３環状部１４にものＮを通すことにより、容易にものＮを運ぶこともできる。なお、図９では、消防のホースを運ぶ場合を示したが、２人で担架を運ぶ際にも同様にして用いることができる。
【００２２】
図１０は、非常用具１０の更に他の用い方を表すものであり、狭隘空間活動で人Ｍを救出する場合を示している。例えば、図１０に示したように、第２環状部１３および第３環状部１４に脚Ｍ１を通し、長尺部１１を背部から回し持ち上げると共に、脇の下Ｍ２で第１環状部１２を胸の方から後頭部へ回して身体に密着させ、必要に応じて長尺部１１の任意の貫通部１１Ｂにカナビラを装着する。これにより、身体を寝かせた状態で、人Ｍを引きずり出すことができる。その際、長尺部１１を昇降器具などに固定してもよく、また、人が非常用具１０を直接支持してもよい。
【００２３】
また、図示しないが、例えば、第２環状部１３および第３環状部１４の側から巻いて丸めることにより、ポケットに入れて容易に持ち運ぶことができる。
【００２４】
このように、本実施の形態に係る非常用具によれば、複数の貫通部１１Ｂを設けた長尺部１１の一端側に第１環状部１２を設け、他端側に第２環状部１３および第３環状部１４を設けるようにしたので、簡単に安定して人を吊り上げたり、吊り下げたり、狭隘空間から引きずり出すことができる。また、人や物を引いたり持ち上げたりすることもできる。更に、ものを運ぶこともできる。加えて、長さも任意に調節することもできる。更にまた、巻いて丸めれば、ポケットに入れて容易に持ち運ぶこともできる。よって、各種救助や消防、防災などの非常時に、簡単かつ安全に用いることができる。
【００２５】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、他の構成要素を備えていてもよい。
【産業上の利用可能性】
【００２６】
救助や消防、防災などの非常時に用いることができる。
【符号の説明】
【００２７】
１０…非常用具、１１…長尺部、１１Ａ…連結部、１１Ｂ…貫通部、１１Ｃ…被服部材
１２…第１環状部、１２Ａ…補強部材、１３…第２環状部、１４…第３環状部
【要約】
【課題】簡単かつ安全に各種救助、消防、防災などの非常時に広く用いることができる非常用具を提供する。
【解決手段】長さ方向において間隔をあけて接合部１１Ａにより接合することにより複数の貫通部１１Ｂが形成された長尺部１１と、長尺部１１の一端側に形成された第１環状部１２と、長尺部１１の他端側に形成された第２環状部１３および第３環状部１４とを備える。長尺部１１、第１環状部１２、第２環状部１３および第３環状部１４は、１本の帯状部材から形成されている。
【選択図】図１【図１】
0004754029.tif 000002
【図２】
0004754029.tif 000003
【図３】
0004754029.tif 000004
【図４】
0004754029.tif 000005
【図５】
0004754029.tif 000006
【図６】
0004754029.tif 000007
【図７】
0004754029.tif 000008
【図８】
0004754029.tif 000009
【図９】
0004754029.tif 000010
【図１０】
0004754029.tif 000011